(57)【特許請求の範囲】
【請求項１】
駐車場において車両を位置決めするとともに標識を表示する車両止め標識表示装置であって、
略垂直状の前面部および後面部と、これら前面部および後面部間の上側に位置する上面部と、この上面部と前記前面部および後面部との間に位置する一対の傾斜した中間面部と、前記前面部および後面部のそれぞれに形成された開孔を有し前記上面部に対向して位置して地表面に設置される底面部とを備えた車止め本体と、
略垂直状の前面部および後面部と、これら前面部および後面部間の上側に位置する略水平状の上面部と、この上面部と前記前面部および後面部との間に位置する一対の傾斜した中間面部と、前記上面部に対向して位置して地表面に設置される底面部と、前記前面部および後面部の前記車止め本体の前記開孔に対応した位置に貫通して設けられた結合孔である結合用スロットと、前記中間面部に設けられた凹部と備え、前記車止め本体に嵌合さえて取り付けられる車止め本体カバーと、
前記車止め本体カバーの結合用スロットに挿通され長手方向の中間部と、この中間部の長手方向の端部とを有するストラップ、およびこれらストラップの両端部を前記結合用スロットに係止させた状態でこのストラップを固定して前記車止め本体カバーを前記車止め本体に支持させる係合支持部を備え、前記車止め本体カバーの結合孔に挿通されて前記車止め本体の前記開孔に固定されこの車止め本体カバーを前記車止め本体に固定する固定具と、
接着可能な内面と所定の標識を表示する標識部が設けられた外面とを有し、前記内面が前記車止め本体カバーの中間面部の凹部に接着される第１の標識シートと
を具備したことを特徴とした車両止め標識表示装置。
【請求項２】
駐車場において車両を適切に位置決めするとともに標識を表示する車両止め標識表示装置であって、
前面部および後面部と、これら前面部および後面部間の上側に位置する上面部と、この上面部と前記前面部および後面部との間に位置する一対の傾斜した中間面部と、前記前面部および後面部のそれぞれに向けて貫通した開孔を有し前記上面部に対向して位置して地表面に設置される底面部と、これら前面部、後面部、上面部、一対の中間面部および底面部それぞれの長手方向の端部に位置する一対の端面部とを備えた車止め本体と、
前面部および後面部と、これら前面部および後面部間の上側に位置する上面部と、この上面部と前記前面部および後面部との間に位置する一対の傾斜した中間面部と、前記上面部に対向して位置し前記車止め本体に嵌合されて開口縁が地表面に対向して設置される底面開口部と、これら前面部、後面部、上面部および一対の中間面部それぞれの長手方向の端部に位置する一対の端面部と、これら前面部および後面部の前記車止め本体の開孔に対応した位置に貫通して設けられた結合孔を備え、前記車止め本体に嵌合されて取り付けられる車止め本体カバーと、
前記車止め本体の上面部から底面部へと貫通してこの車止め本体を地表面に固定させる連結手段と、
前記車止め本体カバーの前面部、後面部、上面部、中間面部および端面部の少なくともいずれか一つ以上の表面に配置される内面、および所定の標識を表示する標識部が設けられた外面を備えた標識シートと、
前記車止め本体カバーの結合孔に挿通されて前記車止め本体の開孔に固定されこの車止め本体カバーを前記車止め本体に固定する固定具を備え、前記車止め本体カバーを前記車止め本体に結合する結合手段と
を具備したことを特徴とした車両止め標識表示装置。
【請求項３】
結合手段は、一端側が車止め本体カバーの前面部に固定され他端側が前記車止め本体カバーの後面部に固定された状態でこの車止め本体カバーの下側に挿通されて取り付けられたストラップである
ことを特徴とした請求項２記載の車両止め標識表示装置。
【請求項４】
車止め本体カバーの前面部、後面部、上面部、中間面部および端面部の少なくともいずれか一つ以上の表面に凹部が設けられ、
この凹部に標識シートが配置されている
ことを特徴とした請求項２または３記載の車両止め標識表示装置。
【請求項５】
車止め本体は、コンクリート製である
ことを特徴とした請求項１ないし４いずれか記載の車両止め標識表示装置。
【請求項６】
車止め本体は、剛性を有する高分子材料にて形成された
ことを特徴とした請求項１ないし５いずれか記載の車両止め標識表示装置。
【請求項７】
車止め本体カバーは、高分子材料にて形成された
ことを特徴とした請求項１ないし６いずれか記載の車両止め標識表示装置。
【請求項８】
車止め本体カバーは、少なくとも外面がアクリル塗装されている
ことを特徴とした請求項１ないし７いずれか記載の車両止め標識表示装置。
【請求項９】
固定具は、高分子材料にて形成された
ことを特徴とした請求項１ないし８いずれか記載の車両止め標識表示装置。
【請求項１０】
第１の標識シートは、柔軟性を有する高分子材料にて形成された
ことを特徴とした請求項１ないし９いずれか記載の車両止め標識表示装置。
【請求項１１】
車止め本体カバーの端面部に凹部が設けられ、
この凹部には、接着可能な内面と所定の標識を表示する標識部が設けられた外面とを有する第２の標識シートの内面が接着される
ことを特徴とした請求項１ないし１０いずれか記載の車両止め標識表示装置。
【請求項１２】
第２の標識シートは、柔軟性を有する高分子材料にて形成された
ことを特徴とした請求項１１記載の車両止め標識表示装置。
【請求項１３】
ストラップは、高分子材料にて形成された
ことを特徴とした請求項１または３記載の車両止め標識表示装置。
【請求項１４】
標識シートは、高分子材料にて形成された
ことを特徴とした請求項２ないし９いずれか記載の車両止め標識表示装置。
【発明の詳細な説明】
【技術分野】
【０００１】
本発明は、駐車場において車両を適切に位置決めするとともに標識を表示する車両止め標識表示装置に関する。
【背景技術】
【０００２】
従来の技術において、既知の構成による車両止め標識表示装置の使用はすでに知られている。すなわち、従来の方法や装置を用いて広告用として使用された既知のデザインや構成の車両止め広告装置は、多用な目的や要求を満たすために開発された様々な幾多の従来技術による膨大な数のデザイン以外のもの構成について、基本的によく知られている。
【発明の開示】
【発明が解決しようとする課題】
【０００３】
この点において、本発明による車両止め広告装置は、従来の技術と大きく異なり、これにより駐車場において車両を適切に位置決めするとともに標識を表示するものである。
【０００４】
本発明は、このような点に鑑みなされたもので、駐車場において車両を位置決めするとともに広告を提供できる車両止め標識表示装置を提供することを目的とする。
【課題を解決するための手段】
【０００５】
請求項１記載の車両止め標識表示装置は、駐車場において車両を位置決めするとともに標識を表示する車両止め標識表示装置であって、略垂直状の前面部および後面部と、これら前面部および後面部間の上側に位置する上面部と、この上面部と前記前面部および後面部との間に位置する一対の傾斜した中間面部と、前記前面部および後面部のそれぞれに形成された開孔を有し前記上面部に対向して位置して地表面に設置される底面部とを備えた車止め本体と、略垂直状の前面部および後面部と、これら前面部および後面部間の上側に位置する略水平状の上面部と、この上面部と前記前面部および後面部との間に位置する一対の傾斜した中間面部と、前記上面部に対向して位置して地表面に設置される底面部と、前記前面部および後面部の前記車止め本体の前記開孔に対応した位置に貫通して設けられた結合孔である結合用スロットと、前記中間面部に設けられた凹部と備え、前記車止め本体に嵌合さえて取り付けられる車止め本体カバーと、前記車止め本体カバーの結合用スロットに挿通され長手方向の中間部と、この中間部の長手方向の端部とを有するストラップ、およびこれらストラップの両端部を前記結合用スロットに係止させた状態でこのストラップを固定して前記車止め本体カバーを前記車止め本体に支持させる係合支持部を備え、前記車止め本体カバーの結合孔に挿通されて前記車止め本体の前記開孔に固定されこの車止め本体カバーを前記車止め本体に固定する固定具と、接着可能な内面と所定の標識を表示する標識部が設けられた外面とを有し、前記内面が前記車止め本体カバーの中間面部の凹部に接着される第１の標識シートとを具備したものである。
【０００６】
請求項２記載の車両止め広告装置は、駐車場において車両を適切に位置決めするとともに標識を表示する車両止め標識表示装置であって、前面部および後面部と、これら前面部および後面部間の上側に位置する上面部と、この上面部と前記前面部および後面部との間に位置する一対の傾斜した中間面部と、前記前面部および後面部のそれぞれに向けて貫通した開孔を有し前記上面部に対向して位置して地表面に設置される底面部と、これら前面部、後面部、上面部、一対の中間面部および底面部それぞれの長手方向の端部に位置する一対の端面部とを備えた車止め本体と、前面部および後面部と、これら前面部および後面部間の上側に位置する上面部と、この上面部と前記前面部および後面部との間に位置する一対の傾斜した中間面部と、前記上面部に対向して位置し前記車止め本体に嵌合されて開口縁が地表面に対向して設置される底面開口部と、これら前面部、後面部、上面部および一対の中間面部それぞれの長手方向の端部に位置する一対の端面部と、これら前面部および後面部の前記車止め本体の開孔に対応した位置に貫通して設けられた結合孔を備え、前記車止め本体に嵌合されて取り付けられる車止め本体カバーと、前記車止め本体の上面部から底面部へと貫通してこの車止め本体を地表面に固定させる連結手段と、前記車止め本体カバーの前面部、後面部、上面部、中間面部および端面部の少なくともいずれか一つ以上の表面に配置される内面、および所定の標識を表示する標識部が設けられた外面を備えた標識シートと、前記車止め本体カバーの結合孔に挿通されて前記車止め本体の開孔に固定されこの車止め本体カバーを前記車止め本体に固定する固定具を備え、前記車止め本体カバーを前記車止め本体に結合する結合手段とを具備したものである。
【０００７】
請求項３記載の車両止め標識表示装置は、請求項２記載の車両止め広告装置において、結合手段は、一端側が車止め本体カバーの前面部に固定され他端側が前記車止め本体カバーの後面部に固定された状態でこの車止め本体カバーの下側に挿通されて取り付けられたストラップであるものである。
【０００８】
請求項４記載の車両止め広告装置は、請求項２または３記載の車両止め広告装置において、車止め本体カバーの前面部、後面部、上面部、中間面部および端面部の少なくともいずれか一つ以上の表面に凹部が設けられ、この凹部に広告シートが配置されているものである。
【０００９】
請求項５記載の車両止め標識表示装置は、請求項１ないし４いずれか記載の車両止め標識表示装置において、車止め本体は、コンクリート製であるものである。
【００１０】
請求項６記載の車両止め標識表示装置は、請求項１ないし５いずれか記載の車両止め標識表示装置において、車止め本体は、剛性を有する高分子材料にて形成されたものである。
【００１１】
請求項７記載の車両止め標識表示装置は、請求項１ないし６いずれか記載の車両止め標識表示装置において、車止め本体カバーは、高分子材料にて形成されたものである。
【００１２】
請求項８記載の車両止め標識表示装置は、請求項１ないし７いずれか記載の車両止め標識表示装置において、車止め本体カバーは、少なくとも外面がアクリル塗装されているものである。
【００１３】
請求項９記載の車両止め標識表示装置は、請求項１ないし８いずれか記載の車両止め標識表示装置において、固定具は、高分子材料にて形成されたものである。
【００１４】
請求項１０記載の車両止め標識表示装置は、請求項１ないし９いずれか記載の車両止め標識表示装置において、第１の標識シートは、柔軟性を有する高分子材料にて形成されたものである。
【００１５】
請求項１１記載の車両止め標識表示装置は、請求項１ないし１０いずれか記載の車両止め標識表示装置において、車止め本体カバーの端面部に凹部が設けられ、この凹部には、接着可能な内面と所定の標識を表示する標識部が設けられた外面とを有する第２の標識シートの内面が接着されるものである。
【００１６】
請求項１２記載の車両止め標識表示装置は、請求項１１記載の車両止め標識表示装置において、第２の標識シートは、柔軟性を有する高分子材料にて形成されたものである。
【００１７】
請求項１３記載の車両止め標識表示装置は、請求項１または３記載の車両止め標識表示装置において、ストラップは、高分子材料にて形成されたものである。
【００１８】
請求項１４記載の車両止め標識表示装置は、請求項２ないし９いずれか記載の車両止め標識表示装置において、標識シートは、高分子材料にて形成されたものである。
【発明の効果】
【００１９】
請求項１記載の車両止め標識表示装置によれば、車止め本体に車止め本体カバーを嵌合させて取り付けるとともに、この車止め本体カバーの結合孔に固定具を挿通させて車止め本体の開孔に固定して、この車止め本体カバーを車止め本体に固定させてから、第１の標識シートの内面を、車止め本体の傾斜面部に設けられた凹部に接着させることにより、駐車場において車両を適切に位置決めできるとともに、車止め本体カバーの中間面部に接着した第１の標識シートを車両の乗員等向けの標識にできる。
【００２０】
請求項２記載の車両止め標識表示装置によれば、車止め本体の上面部から底面部へと棒体を貫通させて、この車止め本体を地表面に固定させてから、この車止め本体に車止め本体カバーの底面開口部を嵌合させて取り付けて、この底面開口部の開口縁を地表面に対向させて設置させるとともに、この車止めカバーを結合手段にて車止め本体に結合させた後、標識シートの内面を車止め本体カバーの前面部、後面部、上面部、中間面部および端面部の少なくともいずれか一つ以上の表面に設置することにより、駐車場において車両を適切に位置決めできるとともに、車止め本体カバーに配置した標識シートを車両の乗員等向けの標識にできる。
【００２１】
また、車止め本体カバーの前面部、後面部、上面部、中間面部および端面部の少なくともいずれか一つ以上の表面に設けた凹部に、標識シートを配置させることにより、この標識シートを車両の乗員等向けの標識にできる。
【００２２】
さらに、車止め本体カバーの端面部に設けられた凹部に第２の標識シートの内面を接着させることにより、この第２の標識シートを車両の乗員等向けの標識にできる。
【発明を実施するための最良の形態】
【００２３】
以下、図面、特に図１を参照して本発明の車両止め標識表示装置の望ましい第１の実施の形態を説明する。図面において、この車両止め標識表示装置としての車両止め広告装置は、全体として10で表されている。
【００２４】
そして、この車両止め広告装置10は、車止め装置であって、主として車止め本体14、薄肉状の車止め本体カバー32および広告シート58などで構成されている。
【００２５】
まず、車止め本体14が設けられている。この車止め本体14には、前面部16および後面部18がそれぞれ垂直状に設けられており、これら前面部16および後面部18間の上側に上面部20が水平状に位置して設けられている。さらに、この車止め本体14には、上面部20と前面部16および後面部18との間に位置する一対の傾斜した中間面部22が設けられているとともに、上面部20に対向して位置して地表面としての駐車面に設置される略水平状の底面部23が設けられている。この底面部23には、直線で構成された開孔としての凹部24が複数形成されている。これら凹部24は、前面部16、後面部18、上面部20、一対の中間面部22および底面部23それぞれの長手方向の両端部に位置する一対の端面部26間において前面部16から後面部18に亘って形成されている。すなわち、これら凹部24は、前面部16および後面部18のそれぞれに向けて貫通している。車止め本体14は、コンクリートで形成されたコンクリート製である。また、この車止め本体14には、上面部20から底面部23に亘って２本の固定孔28が凹部24から離間された位置に上下方向に貫通して形成されている。これら固定孔28には、それぞれ固定用の連結手段としての円筒状の棒体30が地中にまで達するように挿通されている。そして、車止め本体14は、高さ約１２ｃｍ(５インチ)、最大幅約１８．４ｃｍ(７．２５インチ)、長さ約１５２ｃｍ(６０インチ)の寸法に形成されている。なお、この車止め本体14の高さを、約１８．４ｃｍ(７．２５インチ)にすることもできる。
【００２６】
また、この車両止め広告装置10は、薄肉状の車止め本体カバー32を具備している。この車止め本体カバー32は、高分子材料としての塩化ビニルで押し出し成形されており、車止め本体14を覆うように、この車止め本体14に嵌合して取り付けられて配置されている。そして、この車止め本体カバー32には、前面部34および後面部36のそれぞれが垂直状に設けられ、これら前面部34および後面部36間の上側に上面部38が水平状に位置して設けられているとともに、この上面部38と前面部34および後面部36との間に一対の傾斜した中間面部40が位置して設けられている。さらに、この車止め本体カバー32には、前面部34、後面部36、上面部38、一対の中間面部40それぞれの長手方向の両端部に一対の端面部42が設けられているとともに、上面部38に対向した位置にはほぼ水平状の底面部としての底面開口部44が設けられている。この底面開口部44は、この底面開口部44の底縁部を駐車面に隣接可能に形成されている。前面部34および後面部36には、これらを貫通する複数の係合孔としての結合用スロット46が形成されている。これら各結合用スロット46は、凹部24に対応した位置のそれぞれに貫通して形成されている。車止め本体カバー32は、車止め本体14を密接に被覆可能な形状および寸法に形成されている。また、車止め本体カバー32の肉厚は、前面部34、後面部36、上面部38、中間面部40および端面部42のすべてにおいて約０．３１８ｃｍ(０．１２５インチ)に形成されている。さらに、この車止め本体カバー32の外表面および内表面のそれぞれの全面には、薄くアクリル塗装が施されている。
【００２７】
また、車両止め広告装置10は、高分子材料としてのプラスチックにて幅寸法約１．４２ｃｍ(０．５６インチ)に形成された固定具としての結合手段である複数のストラップ48を具備している。これら各ストラップ48は、結合用スロット46のうち一つの周囲に巻回されて凹部24内に配置された長手方向の中間部54と、対応する結合用スロット46に挿通された長手方向の端部52とを有している。ここで、このストラップ48は、一方の端部52が車止め本体カバー32の前面部34に固定され、他方の端部が車止め本体カバー32の後面部36に固定された状態で、この車止め本体カバー32の下側に挿通されて取り付けられている。さらに、一方の端部52には、凹凸状の歯状面が形成され、他方の端部には、一方の端部52を係合するための歯付き係合支持部50が設けられている。この歯付き係合支持部50は、対応する結合用スロット46に当接した状態で、ストラップ46の一方の端部52を係止させた状態で配置されており、このストラップ48を固定して車止め本体カバー32が車止め本体14に当接して支持されて固定されている。
【００２８】
さらに、車両止め広告装置10は、柔軟性を有する高分子材料である柔軟なプラスチック素材で形成された標識シートとしての薄い広告シート58を具備している。この広告シート58は内面60を有しており、この内面60には剥離可能な薄い帯状部材64にて覆われた接着剤62が設けられている。また、この広告シート58は、外面としての外表面66を有しており、この外表面66に所定の標識を表示する標識部としての広告標識部68が設けられている。この広告シート58の寸法は、長さが約１４７ｃｍ(５８インチ)で、高さが約７．６２ｃｍ(３インチ)である。また、この広告シート58は、帯状部材64を剥離除去した後に車止め本体カバー32の少なくとも一方の傾斜した中間面部40に接着可能に構成されている。この状態で、この車止め本体カバー32を装着した車止め本体14は、駐車場において車両を適切に位置決めするための車両用障壁としての車止めを構成するとともに、この車止め本体カバー32上の広告標識部68が車両の乗員等向けの広告となる。
【００２９】
この結果、上記第１の実施の形態の車両止め広告装置10は、容易かつ効率良く製造および販売できるとともに、耐久性および信頼性に優れた構造である。また、素材および作業において製造コストを低減し、結果として低価格で市販できるので、一般消費者が廉価に入手可能な車両止め広告装置10にできる。さらに、駐車場において車両を確実に適切な位置に位置決めするとともに広告を提供できる車両止め広告装置10にできる。
【００３０】
本発明の第２の実施の形態の車両止め標識表示装置としての車両止め広告装置100が図９ないし図１４に記載されている。
【００３１】
この第２の実施の形態の車両止め広告装置100は、垂直な前面部106、垂直な後面部108、水平な上面部110およびこれらの間に位置する一対の傾斜した中間面部112を有する車止め本体104を具備している。また、この車止め本体104は、略水平状の底面部114を有するとともに、複数の円筒状の開孔116が前面部106および後面部108のそれぞれに形成されている。さらに、この車止め本体104は、一対の端面部118を有している。そして、この車止め本体104は、主として剛性を有する高分子材料としてのプラスチックで形成されており、上面部110から底面部114までに亘って３本の固定孔120が上下方向に貫通して形成され、上面部110位置で拡開されて径大開口部122となっている。これら固定孔120のそれぞれには、固定用の円筒形状の連結手段としての棒体124が地中にまで達するように挿通されており、この棒体124の上面が上面部110と同一面状になるように配置されている。そして、車止め本体104は、高さ約１０．２ｃｍ(４．００インチ)、幅約１５．２ｃｍ(６．００インチ)、長さ約２０３ｃｍ(８０インチ)の寸法に形成されている。さらに、この車止め本体104の底面部114には、重量低減用凹部126が形成されている。
【００３２】
また、車両止め広告装置100は、塩化ビニルで押し出し成形され、車止め本体104を覆うように配置された薄肉状の車止め本体カバー130を具備している。この車止め本体カバー130には、前面部132および後面部134のそれぞれが垂直に設けられ上面部136が水平に設けられるとともに、傾斜した一対の中間面部138がこれら前面部132および後面部134と上面部136との間に設けられている。さらに、この車止め本体カバー130には、一対の端面部140およびほぼ水平状の底面部としての底面開口部142が設けられている。前面部132および後面部134には、これらを貫通する複数の結合用円形孔144が、車止め本体104の開孔116に対応する位置にそれぞれ形成されている。また、各中間面部138には、直線で構成された浅い凹部146が中間面部138の大部分に亘って形成されている。さらに、各端面部118には、正方形状の浅い凹部148が形成されている。そして、車止め本体カバー130は、車止め本体104を密接に被覆可能な形状および寸法に形成されている。また、車止め本体カバー130の肉厚は、前面部132、後面部134、上面部136、中間面部138および端面部140のすべてにおいて約０．３１８ｃｍ(０．１２５インチ)に形成されている。さらに、この車止め本体カバー130の外表面および内表面のそれぞれの全面には、薄くアクリル塗装150が施されている。
【００３３】
また、車両止め広告装置100は、結合手段としてのプラスチック製のねじ152を複数具備している。これらねじ152のそれぞれは、歯状面158が形成された長手方向の中間部154と、頭部160が設けられた長手方向の端部156とを有している。また、これらねじ152は、車止め本体カバー130の結合用円形孔144に挿通されて車止め本体104の開孔116内に固定されることにより、この車止め本体カバー130を車止め本体104に結合するように構成されている。
【００３４】
さらに、車両止め広告装置100は、柔軟性を有する高分子材料である柔軟なプラスチック素材にて直線で構成された形状に形成された薄い第１の標識シート164を具備している。この第１の標識シート164は、剥離可能な帯状部材170にて覆われた接着剤168が設けられた内面166を有している。また、この第１の標識シート164は、外表面172を有しており、この外表面172上に所定の標識を表示する標識部174が設けられている。そして、この第１の標識シート164の寸法は、長さが約１４７ｃｍ(５８インチ)で、高さが約７．６２ｃｍ(３インチ)である。さらに、この第１の標識シート164は、帯状部材170を剥離除去した後に車止め本体カバー130の少なくとも一方の傾斜した中間面部138の浅い凹部146内に接着可能に構成されている。この状態で、この車止め本体カバー130を装着した車止め本体104は、駐車場において車両を適切に位置決めするための車両用障壁としての車止めを構成するとともに、この車止め本体カバー130上の標識部174が車両の乗員等向けの広告となる。
【００３５】
さらに、車両止め広告装置100は、柔軟性を有する高分子材料である柔軟なプラスチック素材で正方形状に形成された薄い第２の標識シート180を具備している。この第２の標識シート180は、剥離可能な帯状部材186にて覆われた接着剤184が設けられた内面182を有している。また、この第２の標識シート180は、外表面188を有しており、この外表面188上に標識部190が設けられている。そして、この第２の標識シート180の寸法は、長さが約５．０８ｃｍ(２インチ)で、高さが約５．０８ｃｍ(２インチ)である。さらに、この第２の標識シート180は、帯状部材186を剥離除去した後に車止め本体カバー130の少なくとも一方の端面部140の浅い凹部146内に接着可能に構成されている。標識部190には、例えば広告、警告あるいはバーコードなどを表示する。
【図面の簡単な説明】
【００３６】
【図１】本発明の第１の実施の形態の車両止め標識表示装置を示す分解斜視図である。
【図２】同上車両止め標識表示装置の車止め本体を示す平面図である。
【図３】同上車両止め標識表示装置の車止め本体を示す正面図である。
【図４】同上車両止め標識表示装置の車止め本体を示す側面図である。
【図５】同上車両止め標識表示装置の車止め本体カバーを示す平面図である。
【図６】同上車両止め標識表示装置の車止め本体カバーを示す正面図である。
【図７】同上車両止め標識表示装置の車止め本体カバーを示す側面図である。
【図８】同上車両止め標識表示装置のストラップおよび係合支持部を示す斜視図である。
【図９】本発明の第２の実施の形態の車両止め標識表示装置を示す斜視図である。
【図１０】同上車両止め標識表示装置を示す分解側面図である。
【図１１】同上車両止め標識表示装置を示す分解正面図である。
【図１２】同上車両止め標識表示装置の図１１中の１２−１２線での平面図である。
【図１３】同上車両止め標識表示装置の図１１中の１３−１３線での車止め本体を示す断面図である。
【図１４】同上車両止め標識表示装置の図１１中の１４−１４線での車止め本体カバーを示す断面図である。
【符号の説明】
【００３７】
10,100    車両止め標識表示装置としての車両止め広告装置
14,104    車止め本体
16,106    前面部
18,108    後面部
20,110    上面部
22,112    中間面部
23,114    底面部
24    開孔としての凹部
26,118    端面部
30,124    連結手段としての棒体
32,130    車止め本体カバー
34,132    前面部
36,134    後面部
38,136    上面部
40,138    中間面部
42,140    端面部
44,142    底面部としての底面開口部
46    結合孔としての結合用スロット
48    固定具としての結合手段であるストラップ
50    係合支持部としての歯付き係合支持部
52    端部
54    中間部
58    標識シートとしての広告シート
68    標識部としての広告標識部
116    開孔
146,148    凹部としての浅い凹部
150    アクリル塗装
152    結合手段としてのねじ
164    第１の標識シート
174,190    標識部
180    第２の標識シート
【図１】
0004088295.tif 000002
【図２】
0004088295.tif 000003
【図３】
0004088295.tif 000004
【図４】
0004088295.tif 000005
【図５】
0004088295.tif 000006
【図６】
0004088295.tif 000007
【図７】
0004088295.tif 000008
【図８】
0004088295.tif 000009
【図９】
0004088295.tif 000010
【図１０】
0004088295.tif 000011
【図１１】
0004088295.tif 000012
【図１２】
0004088295.tif 000013
【図１３】
0004088295.tif 000014
【図１４】
0004088295.tif 000015